(57)【要約】【課題】アクセサリー等に使われる部品接続用リングの、切り欠きを有する差込口を形成したリング（丸環）およびコイル状に二重にリングを有しその先端が差込口を形成しているリング（二重環）に他の部品を接続するための環体接続用治具を提供する。【解決手段】  丸環または二重環を固定するための径の大きな円筒の上に径の小さな円筒が階段状に複数個重ねられた形状で、横断面の約半円が切除され、その切除された壁面と円筒側面が交わる稜線の丸環または二重環が留まる位置にくさび状の凹部を有した棒状のセット部と、該棒状のセット部に二重環をセットした場合にその差込口を拡開するために使用する差込具と、セット部を垂直に固定するための固定部とより構成されたアクセサリー等に使われる接続用リングの丸環または二重環を他の部品と接続するための環体接続用治具。【選択図】図３
2010158266.tif 000002
【特許請求の範囲】
【請求項１】
丸環または二重環を固定するための径の大きな円筒の上に径の小さな円筒が階段状に複数個重ねられた形状で、横断面の約半円が切除され、その切除された壁面と円筒側面が交わる稜線の丸環または二重環が留まる位置にくさび状の凹部を有した棒状のセット部と、該棒状のセット部に二重環をセットした場合にその差込口を拡開するために使用する差込具と、セット部を垂直に固定するための固定部とより構成されたアクセサリー等に使われる接続用リングの丸環または二重環を他の部品と接続するための環体接続用治具。
【発明の詳細な説明】
【技術分野】
【０００１】
本発明はアクセサリー等に使われる部品接続用リングの、切り欠きを有する差込口を形成したリング（丸環）およびコイル状に二重にリングを有しその先端が差込口を形成しているリング（二重環）を図１に示す一例のような他の部品と接続を容易に行うための環体接続用治具に関するものである。
【背景技術】
【０００２】
従来、アクセサリー部品を丸環または二重環に接続する時は、丸環または二重環を一方の手で掴み他方の手でペンチやマイナストライバーなどによって丸環または二重環の差込口を拡開して部品を差し込むか、固定したマイナスドライバー形状の先端に二重環を差し込んで差込口を拡開して他の部品を接続していた。
【発明の開示】
【発明が解決しようとする課題】
【０００３】
しかし、次のような問題があった。
丸環または二重環を手で掴み、ペンチやマイナスドライバーなどにより差込口を拡開した場合や、固定したマイナスドライバー形状の先端に二重環を差し込んで差込口を拡開した場合、しっかり丸環や二重環を掴んでいないと差込口を拡開しようとする力により丸環または二重環が何処かに飛んで紛失してしまったり、拡開した差込口に他の部品を差し込む際その差し込もうとする力で丸環や二重環がずれてペンチやマイナスドライバー形状の先端から外れてしまったりして、接続に時間を要するという欠点があった。
本発明はこれらの問題を解決するためになされたものである。
【課題を解決するための手段】
【０００４】
丸環または二重環を固定するための径の大きな円筒の上に径の小さな円筒が階段状に複数個重ねられた形状で、横断面の約半円が切除され、その切除された壁面と円筒側面が交わる稜線の丸環または二重環が留まる位置にくさび状の凹部を有した棒状のセット部と、該棒状のセット部に二重環をセットした場合にその差込口を拡開するために使用する差込具と、セット部を垂直に固定するための固定部とより構成されたアクセサリー等に使われる接続用リングの丸環または二重環を他の部品と接続するための環体接続用治具である。
【発明の効果】
【０００５】
リング状の丸環や二重環を径の大きな円筒の上に径の小さな円筒が階段状に複数個重ねられた形状の棒体に差し込んで固定した状態でリングの差込口を拡開するので、拡開することに例え失敗したとしても丸環または二重環が棒体からはずれて飛んで紛失することがないばかりか、拡開する力や他の部品を差し込むときの力に負けることなくリングの差込口を拡開状態に難なく維持することが出来、他の部品を容易に且つ迅速に接続できる。また先が細く下に行くに従って太くなる棒体にリング状の丸環または二重カンを差し込むので直径の小さなものから大きな多種のサイズに対応が出来、丸環または二重環と他部品の接続に時間を要するという従来の欠点を解決することが出来た。  
【発明を実施するための最良の形態】
【０００６】
以下、本発明の実施の形態を説明する。
本発明は丸環または二重環の接続用治具であるためまずそれらを説明する。図２に示すように（ａ）は丸環で一重の環本体（１―ａ）が中央に穴（２−ａ）を形成するリング状になっていて、切り欠きを有する差込口（３−ａ）を有している。（ｂ）は二
重環で二重のコイル状の環本体（１―ｂ）が中央に穴（２−ｂ）を形成するリング状
のもので、二重のコイル状の間は拡開できる隙間（４）を有し、そのリングの両端が差込口（３−ｂ）となっている。
本発明は図３に示すように丸環または二重環を固定するための上方に突出した棒状のセット部（Ａ）と、該棒状のセット部に二重環を挿入してセットした場合その差込口（３−b）を拡開するために使用する差込具（Ｂ）と、セット部（Ａ）を垂直に固定するための固定部（Ｃ）より構成されている。
棒状のセット部（Ａ）は図４（a）で示すように径の大きな円筒の上に径の小さな円筒が階段状に複数個重ねられた形状の棒体（５）で、図４（b）の部分拡大図のように径の異なる丸環の穴（２−a）または二重環の穴（２−b）をその棒体（５）に上から挿入した時それぞれの環の内径より大きい位置で留まるようになっていて、差込口（３−a）または（３−b）に拡開した状態で他の部品を差し込むためのスペースとなるよう横断面の約半円が切除されている。その垂直に切除された壁面（６）と円筒側面（７）が交わる稜線（８−a）、（８−b）のうちどちらか一方または両方に径の異なる二重環が留まるそれぞれの位置にくさび状のが凹部（９）が設けられている。この凹部形状は後述する差込具（Ｂ）のくさび状の先端部分がほぼ一致して収まる形状を有している。棒体（５）の下部はセット部（Ａ）を垂直に立てるためのもので、使用するときに凹部（９）もしくは切除された壁面（６）の位置が作業者に対し作業し易い角度に固定するように四角柱状の掴み部（１０）が設けられている。この掴み部（１０）は円柱状であっても回り止めを有していたり、多角形または横壁の一部が垂直平面の形状を有することにより壁面（６）が適切な位置に固定されていても良い。またセット部（Ａ）は円錐状の棒体であっても良い。
差込具（Ｂ）は二重環の隙間（４）に挿入することによって差込口（３−b）を拡開するためのもので、図５で示すように１ｍｍから３ｍｍ程度の厚みの板状の差込本体（１１）の先端は厚みが零に近いくさび状の差込部（１２）を有し、他端には差込本体を持ち易ように柄（１３）が設けられている。差込部（１２）は前述したようにセット部（Ａ）の凹部（９）にほぼ一致して嵌入するくさび状の形状になっている。  
セット部（Ａ）および差込具（Ｂ）の差込本体の材質は丸環および二重環の差込口（３−ｂ）を拡開するときに加える力に耐えるものならなんでも良い。
固定部（Ｃ）はセット部（Ａ）を垂直に固定するためのもので、図６に示すように上部にセット部（Ａ）を固定するための差込穴（１４）を有し、その断面は掴み部（１０）と同じ形状で、掴み部（１０）を挿入出来、該掴み部が棒体（５）の一番径の大きい円筒にぶつかるまで挿入した時前後左右に動かない大きさになっている。またセット部（Ａ）を挿入した状態で、該セット部（Ａ）を垂直に固定して作業できるようにするため作業台など何処かに取り付けるための取付部（１５）を備えている。取付の方法は一般に使用されているネジで挟みつけるようになっている。固定部（Ｃ）は市販の万力を使用してもよい。
本発明は以上のような構成であり、二重環を他の部品に接続するために使用するときは図７ａで示すように使用したい二重環の穴（２−ｂ）を棒体（５）に差し込み、
その二重環の内径より棒体（５）の径が大きい位置で留まったら差込口（３−ｂ）が壁面（６）側に来るように回してセットする。その状態で図７ｂのように差込具（Ｂ）の差込部（１２）を二重環の隙間（４）に差し込み、更にセット部（Ａ）の凹部（９）の中にまで差込部（１２）を差し込んで二重環の差込口（３−ｂ）を拡開する。その開いた差込口（３−ｂ））に図７ｃのようにある部品１の取り付け穴（１６）を挿入した後、図７ｄのように二重環本体（１―b）を矢印の方向に回転させて接続を完了する。また、丸環の接続に使用するときは図８ａに示すように丸環の穴（２−ａ）を棒体（５）にリングの差込口（３−ａ）が壁面（６）側に来るように差し込み，その丸環の太さの位置に留まった状態で、図８ｂのようにペンチなどで差込口（３−ａ）を拡開し、図８ｃのようにある部品２の取り付け穴（１７）を挿入した後、差込口（３−ａ）を元のように閉じて接続を完了する。
【図面の簡単な説明】
【０００７】
【図１】本発明を使用する丸環（または二重環）に接続された他の部品の一例製品説明斜視図
【図２】本発明を使用する対象品の説明斜視図
【図３】本発明の斜視図
【図４】本発明の要部の分解斜視図
【図５】本発明の要部の分解斜視図
【図６】本発明の要部の分解斜視図
【図７】本発明の使用状態を示す斜視図
【図８】本発明の使用状態を示す斜視図
【符号の説明】
【０００８】
Ａ    セット部
Ｂ    差込具
Ｃ    固定部
１；  １−ａ、１−ｂ 環本体
２；  ２−ａ、２−ｂ 穴
３；  ３−ａ、３−ｂ 差込口
４    隙間
５    棒体
６    壁面
７    円筒側面
８；  ８−a、８−b  稜線
９    凹部
１０    掴み部
１１    差込本体
１２    差込部
１３    柄
１４    差込穴
１５    取付部
１６    ある部品１の取り付け穴
１７    ある部品２の取り付け穴
【図１】
2010158266.tif 000003
【図２】
2010158266.tif 000004
【図３】
2010158266.tif 000005
【図４】
2010158266.tif 000006
【図５】
2010158266.tif 000007
【図６】
2010158266.tif 000008
【図７】
2010158266.tif 000009
【図８】
2010158266.tif 000010